【手続補正書】
【提出日】平成17年6月28日(2005.6.28)
【手続補正１】
【補正対象書類名】明細書
【補正対象項目名】特許請求の範囲
【補正方法】変更
【補正の内容】
【特許請求の範囲】
【請求項１】
反射部、非反射部、および透過部を備えた画素を有し、対向する第１の基板と第２の基板とを含む一対の電気光学装置用基板、およびその間に電気光学的物質を含む電気光学装置において、
前記一つの電気光学装置用基板が、第１の基板と、前記反射部に備えられた反射層と、着色層と、前記非反射部に重なる遮光層または透光層と、を含み、
前記着色層は、前記反射部、前記非反射部および前記透過部の全部または一部と重なるように配置されており、かつ、前記透過部に重なる前記着色層の厚さと前記非反射部に重なる前記着色層の厚さが異なることを特徴とする電気光学装置。
【請求項２】
反射部、非反射部、および透過部を備えた画素を有し、対向する第１の基板と第２の基板とを含む一対の電気光学装置用基板、およびその間に電気光学的物質を含む電気光学装置において、
前記一つの電気光学装置用基板が、第１の基板と、前記反射部に備えられた反射層と、を含み、もう一つの電気光学装置用基板が、第２の基板と、着色層と、前記非反射部に重なる遮光層または透光層と、を含み、
前記着色層は、前記反射部、前記非反射部および前記透過部の全部または一部と重なるように配置されており、かつ、前記透過部に重なる前記着色層の厚さと前記非反射部に重なる前記着色層の厚さが異なることを特徴とする電気光学装置。
【請求項３】
反射部、非反射部、および透過部を備えた画素を有し、対向する第１の基板と第２の基板とを含む一対の電気光学装置用基板、およびその間に電気光学的物質を含む電気光学装置において、
前記一つの電気光学装置用基板が、第１の基板と、前記反射部及び前記非反射部に備えられた反射層と、着色層と、前記非反射部に重なる遮光層または透光層と、を含み、
前記着色層は、前記反射部、前記非反射部および前記透過部の全部または一部と重なるように配置されており、かつ、前記透過部に重なる前記着色層の厚さと前記非反射部に重なる前記着色層の厚さが異なることを特徴とする電気光学装置。
【請求項４】
前記基板と、前記反射層との間に、前記基板表面からの反射層の高さ位置を調整するための位置調整層を設けることを特徴とする請求項１〜３のいずれか一項に記載の電気光学装置。
【請求項５】
前記非反射部の面積をＡ１とし、前記反射部の面積をＡ２としたときに、Ａ１／Ａ２で表される比率を０．１〜５の範囲内の値とすることを特徴とする請求項１〜４のいずれか一項に記載の電気光学装置。
【請求項６】
前記非反射部の面積をＡ１とし、前記透過部の面積をＡ３としたときに、Ａ１／Ａ３で表される比率を０．０５〜１の範囲内の値とすることを特徴とする請求項１〜５のいずれか一項に記載の電気光学装置。
【請求項７】
前記反射部の面積（Ａ２）に対する、前記透過部の面積（Ａ３）の比率（Ａ２／Ａ３）を０．３〜２の範囲内の値とすることを特徴とする請求項１〜６のいずれか一項に記載の電気光学装置。
【請求項８】
前記透過部に位置する着色層に、厚肉部を設けることを特徴とする請求項１〜７のいずれか一項に記載の電気光学装置。
【請求項９】
前記着色層の厚肉部の厚さをｔ１とし、前記着色層の非厚肉部の厚さをｔ２としたときに、ｔ１／ｔ２で表される比率を１．２〜２．０の範囲内の値とすることを特徴とする請求項１〜８のいずれか一項に記載の電気光学装置。
【請求項１０】
前記着色層が、複数の画素に対応しているとともに、前記複数の着色層における厚肉部の厚さを異ならせることを特徴とする請求項１〜９のいずれか一項に記載の電気光学装置。
【請求項１１】
前記着色層上に保護膜を備えるとともに、当該保護膜の前記透過部と重なる領域に、開口部または実質的に光が通過できる薄肉部を設けることを特徴とする請求項１〜１０のいずれか一項に記載の電気光学装置。
【請求項１２】
前記着色層または保護膜上に配向膜を備えるとともに、当該配向膜の表面に凹部を形成するか、あるいは平坦化することを特徴とする請求項１〜１１のいずれか一項に記載の電気光学装置。
【請求項１３】
前記基板の表面に凹部を設けるとともに、当該凹部と重なる領域に、前記透過部を設けることを特徴とする請求項１〜１２のいずれか一項に記載の電気光学装置。
【請求項１４】
前記反射層が、表面に独立して形成された複数の凸部を有する反射基部と、反射膜とを含むことを特徴とする請求項１〜１３のいずれか一項に記載の電気光学装置。
【請求項１５】
前記透過部を実質的に覆う着色層と、前記反射部を部分的に覆う着色層とを、同種または同一の着色剤から構成することを特徴とする請求項１〜１４のいずれか一項に記載の電気光学装置。
【請求項１６】
反射部、非反射部、および透過部を備えた画素を有し、基板と、前記反射部に備えられた反射層と、着色層と、を含む電気光学装置用基板において、
前記非反射部に重なる遮光層または透光層を有し、
前記着色層は、前記反射層の反射部、前記非反射部および前記透過部の全部または一部を実質的に覆うように配置されており、かつ、前記透過部に重なる前記着色層の厚さと前記非反射部に重なる前記着色層の厚さが異なる非反射部を備えることを特徴とする電気光学装置用基板。
【請求項１７】
反射部、非反射部、および透過部を備えた画素を有し、基板と、前記反射部および前記非反射部に備えられた反射層と、着色層と、を含む電気光学装置用基板において、
前記非反射部に重なる遮光層を有し、
前記着色層は、前記反射層の反射部、前記非反射部および前記透過部の全部または一部を実質的に覆うように配置されており、かつ、前記透過部に重なる前記着色層の厚さと前記非反射部に重なる前記着色層の厚さが異なる非反射部を備えることを特徴とする電気光学装置用基板。
【請求項１８】
反射部、非反射部、および透過部を備えた画素を有し、基板と、前記反射部に備えられた反射層と、着色層と、を含む電気光学装置用基板の製造方法において、
前記基板上に、前記反射層を形成するとともに、前記反射層の非反射部に、遮光層または透光層を形成する工程と、
前記反射部、非反射部、および透過部の全部または一部を実質的に覆うように前記着色層を配置する工程と、
を含むことを特徴とする電気光学装置用基板の製造方法。
【請求項１９】
請求項１〜１５のいずれか一項に記載された電気光学装置と、当該電気光学装置を制御するための制御手段と、を備えることを特徴とする電子機器。
【手続補正２】
【補正対象書類名】明細書
【補正対象項目名】０００９
【補正方法】変更
【補正の内容】
【０００９】
【課題を解決するための手段】
本発明に係る電気光学装置用基板は、反射部、非反射部、および透過部を備えた画素を有し、基板と、前記反射部に備えられた反射層と、着色層と、を含む電気光学装置用基板において、前記非反射部に重なる遮光層または透光層を有し、前記着色層は、前記反射層の反射部、前記非反射部および前記透過部の全部または一部を実質的に覆うように配置されており、かつ、前記透過部に重なる前記着色層の厚さと前記非反射部に重なる前記着色層の厚さが異なる非反射部を備えることを特徴とする。
本発明に係る電気光学装置用基板は、反射部、非反射部、および透過部を備えた画素を有し、基板と、前記反射部および前記非反射部に備えられた反射層と、着色層と、を含む電気光学装置用基板において、前記非反射部に重なる遮光層を有し、前記着色層は、前記反射層の反射部、前記非反射部および前記透過部の全部または一部を実質的に覆うように配置されており、かつ、前記透過部に重なる前記着色層の厚さと前記非反射部に重なる前記着色層の厚さが異なる非反射部を備えることを特徴とする。
本発明の実施の形態に係る電気光学装置用基板によれば、基板と、反射部、開口部および非開口部を有する反射層と、着色層と、を含む電気光学装置用基板において、着色層は、反射層の反射部、開口部および非開口部の全部または一部を実質的に覆うように配置されており、かつ、反射層の非開口部の一部に、遮光性または透光性を有する非反射部を備える電気光学装置用基板が提供され、上述した問題点を解決することができる。
すなわち、遮光性を有する非反射部を備えることにより、非反射部における背面からの光透過を遮断した場合には、液晶層の段差部において配向不良が生じた場合であっても、かかる配向不良を隠蔽して、目立たなくさせることができる。
一方、透光性を有する非反射部を備えることにより、開口部における着色層の厚さの調整が容易になるばかりか、透光性を有する非反射部を光透過させた場合には、着色層が十分かつ均一に光吸収をして、色再現性や明るさに優れた着色光を外部に取り出すことができる。
なお、反射層における反射部とは、反射膜等によって外部光から反射光が得られる箇所である。また、反射層の開口部とは、反射層が穿孔等されており、下部領域が露出した箇所であって、透過光が得られる箇所である。さらに、反射層の非開口部とは、反射層における反射部および開口部以外の箇所であって、反射光は常に得られないが、透過光については得られる場合がある箇所である。
【手続補正３】
【補正対象書類名】明細書
【補正対象項目名】００１０
【補正方法】変更
【補正の内容】
【００１０】
また、本発明の実施の形態に係る電気光学装置用基板を構成するにあたり、非反射部の下方に遮光層または透光層を備えることが好ましい。
このように非反射部の下方に遮光層を備えた場合には、より確実に背面からの透過光を遮断し、液晶層の段差部において配向不良が局地的に生じた場合であっても、かかる配向不良を隠蔽して、さらに目立たなくさせることができる。
一方、非反射部の下方に透光層を備えた場合には、非反射部の形成が容易になるばかりか、かかる非反射部を利用して、開口部における着色層の厚さをきめ細かく調節することができる。また、透光層を備えた場合には、非反射部の背面側から透過光を大量に透過させることができるため、得られる着色光の光量を増加させることができる。
【手続補正４】
【補正対象書類名】明細書
【補正対象項目名】００１１
【補正方法】変更
【補正の内容】
【００１１】
また、本発明に係る電気光学装置は、前記基板と、前記反射層との間に、前記基板表面からの反射層の高さ位置を調整するための位置調整層を設ける。
本発明の実施の形態に係る電気光学装置用基板を構成するにあたり、基板と、反射層との間に、基板表面からの反射層の高さ位置を調整するための位置調整層を設けることが好ましい。
このように構成することにより、反射層の高さ位置を容易に調整することができる。したがって、位置が適当な反射層においては、適度な反射光を外部に取り出すことができる一方、反射層の開口部においては、着色層が十分かつ均一に光吸収をして、色再現性や明るさに優れた透過光を外部に取り出すことができる。
【手続補正５】
【補正対象書類名】明細書
【補正対象項目名】００１２
【補正方法】変更
【補正の内容】
【００１２】
また、本発明に係る電気光学装置は、前記非反射部の面積をＡ１とし、前記反射部の面積をＡ２としたときに、Ａ１／Ａ２で表される比率を０．１〜５の範囲内の値とすることを特徴とする。
本発明の実施の形態に係る電気光学装置用基板を構成するにあたり、反射層の非反射部の面積をＡ１とし、反射層の反射部の面積をＡ２としたときに、Ａ１／Ａ２で表される比率を０．１〜５の範囲内の値とすることが好ましい。
このように非反射部の面積を制限することにより、着色層の厚さの制御や液晶材料の配向不良の隠蔽が容易になるとともに、反射型表示における明るさの低下を少なくすることができる。
【手続補正６】
【補正対象書類名】明細書
【補正対象項目名】００１３
【補正方法】変更
【補正の内容】
【００１３】
また、本発明に係る電気光学装置は、前記非反射部の面積をＡ１とし、前記透過部の面積をＡ３としたときに、Ａ１／Ａ３で表される比率を０．０５〜１の範囲内の値とすることを特徴とする。
本発明の実施の形態に係る電気光学装置用基板を構成するにあたり、反射層の非反射部の面積をＡ１とし、反射層の開口部の面積をＡ３としたときに、Ａ１／Ａ３で表される比率を０．０５〜１の範囲内の値とすることが好ましい。
このように非反射部の面積を制限することにより、着色層の厚さの制御や液晶材料の配向不良の隠蔽が容易になるとともに、透過型表示における明るさの低下を少なくすることができる。
【手続補正７】
【補正対象書類名】明細書
【補正対象項目名】００１４
【補正方法】変更
【補正の内容】
【００１４】
また、本発明に係る電気光学装置は、前記反射部の面積（Ａ２）に対する、前記透過部の面積（Ａ３）の比率（Ａ２／Ａ３）を０．３〜２の範囲内の値とすることを特徴とする。
本発明の実施の形態に係る電気光学装置用基板を構成するにあたり、反射層の反射部の面積（Ａ２）に対する、反射層の開口部の面積（Ａ３）の比率（Ａ２／Ａ３）を０．３〜２の範囲内の値とすることが好ましい。
このように反射部と開口部の面積比を制限することにより、反射型表示と、透過型表示との間の明るさや彩度度の相違を低下させることができる。
【手続補正８】
【補正対象書類名】明細書
【補正対象項目名】００１５
【補正方法】変更
【補正の内容】
【００１５】
また、本発明に係る電気光学装置は、前記透過部に位置する着色層に、厚肉部を設けることを特徴とする。
本発明の実施の形態に係る電気光学装置用基板を構成するにあたり、反射層の開口部に位置する着色層に、厚肉部を設けることが好ましい。
このように厚肉部を設けることにより、反射層の開口部を光透過させた場合に、十分かつ均一に光吸収をして、色再現性に優れた着色光を外部に取り出すことができる。
【手続補正９】
【補正対象書類名】明細書
【補正対象項目名】００１６
【補正方法】変更
【補正の内容】
【００１６】
また、本発明に係る電気光学装置は、前記着色層の厚肉部の厚さをｔ１とし、前記着色層の非厚肉部の厚さをｔ２としたときに、ｔ１／ｔ２で表される比率を１．２〜２．０の範囲内の値とすることを特徴とする。
本発明の実施形態に係る電気光学装置用基板を構成するにあたり、着色層の厚肉部の厚さをｔ１とし、着色層の非厚肉部の厚さをｔ２としたときに、ｔ１／ｔ２で表される比率を１．２〜２．０の範囲内の値とすることが好ましい。
このように構成することにより、反射型表示であっても、透過型表示であっても、それぞれにおける色再現性と、明るさのバランスをより良好なものとすることができる。
【手続補正１０】
【補正対象書類名】明細書
【補正対象項目名】００１７
【補正方法】変更
【補正の内容】
【００１７】
また、本発明に係る電気光学装置は、前記着色層が、複数の画素に対応しているとともに、前記複数の着色層における厚肉部の厚さを異ならせることを特徴とする。
本発明の実施の形態に係る電気光学装置用基板を構成するにあたり、着色層が、複数の画素に対応しているとともに、複数の着色層における厚肉部の厚さを異ならせることが好ましい。
このように構成することにより、反射型表示であっても、透過型表示であっても、複数の着色層における色再現性と、明るさのバランスを良好なものとすることができる。
【手続補正１１】
【補正対象書類名】明細書
【補正対象項目名】００１８
【補正方法】変更
【補正の内容】
【００１８】
また、本発明に係る電気光学装置は、前記着色層上に保護膜を備えるとともに、当該保護膜の前記透過部と重なる領域に、開口部または実質的に光が通過できる薄肉部を設けることを特徴とする。
本発明の実施の形態に係る電気光学装置用基板を構成するにあたり、着色層上に保護膜を備えるとともに、当該保護膜の反射層の開口部と重なる領域に、開口部または実質的に光が通過できる薄肉部を設けることが好ましい。
このように構成することにより、保護膜を備えた場合であっても光の透過を妨げることなく、電気光学装置用基板の機械的強度や耐熱性を高めることができる。
【手続補正１２】
【補正対象書類名】明細書
【補正対象項目名】００１９
【補正方法】変更
【補正の内容】
【００１９】
また、本発明に係る電気光学装置は、前記着色層または保護膜上に配向膜を備えるとともに、当該配向膜の表面に凹部を形成するか、あるいは平坦化することを特徴とする。
本発明の実施の形態に係る電気光学装置用基板を構成するにあたり、着色層または保護膜上に配向膜を備えるとともに、当該配向膜の表面に凹部を形成するか、あるいは平坦化することが好ましい。
このように配向膜を備えることにより、電気光学装置用基板を液晶表示装置等の電気光学装置に使用した場合に、優れた表示特性を示すことができる。
【手続補正１３】
【補正対象書類名】明細書
【補正対象項目名】００２０
【補正方法】変更
【補正の内容】
【００２０】
また、本発明に係る電気光学装置は、前記基板の表面に凹部を設けるとともに、当該凹部と重なる領域に、前記透過部を設けることを特徴とする。
本発明の実施の形態に係る電気光学装置用基板を構成するにあたり、基板の表面に凹部を設けるとともに、当該凹部と重なる領域に、反射層の開口部を設けることが好ましい。
このように基板の表面に凹部を設けることにより、着色層における厚肉部の厚さの調整をさらに容易に実施することができる。
【手続補正１４】
【補正対象書類名】明細書
【補正対象項目名】００２１
【補正方法】変更
【補正の内容】
【００２１】
また、本発明に係る電気光学装置は、前記反射層が、表面に独立して形成された複数の凸部を有する反射基部と、反射膜とを含むことを特徴とする。
本発明の実施の形態に係る電気光学装置用基板を構成するにあたり、反射層が、表面に独立して形成された複数の凸部を有する反射基部と、反射膜とを含むことが好ましい。
このように反射層を構成することにより、外部から入射した光が、反射層において過度に反射することを有効に防止することができる。
【手続補正１５】
【補正対象書類名】明細書
【補正対象項目名】００２２
【補正方法】変更
【補正の内容】
【００２２】
また、本発明に係る電気光学装置は、前記透過部を実質的に覆う着色層と、前記反射部を部分的に覆う着色層とを、同種または同一の着色剤から構成することを特徴とする。
本発明の実施の形態に係る電気光学装置用基板を構成するにあたり、反射層の開口部を実質的に覆う着色層と、反射層の反射部を部分的に覆う着色層とを、同種または同一の着色剤から構成することが好ましい。
このように構成することにより、比較的種類の少ない着色剤を使用した場合であっても、反射型表示であっても、透過型表示であっても、それぞれにおける色再現性と、明るさのバランスを良好なものとすることができる。
【手続補正１６】
【補正対象書類名】明細書
【補正対象項目名】００２３
【補正方法】変更
【補正の内容】
【００２３】
また、本発明に係る電気光学装置の製造方法は、反射部、非反射部、および透過部を備えた画素を有し、基板と、前記反射部に備えられた反射層と、着色層と、を含む電気光学装置用基板の製造方法において、前記基板上に、前記反射層を形成するとともに、前記反射層の非反射部に、遮光層または透光層を形成する工程と、前記反射部、非反射部、および透過部の全部または一部を実質的に覆うように前記着色層を配置する工程と、を含むことを特徴とする。
本発明の別の実施形態に係る態様は、基板と、反射部、開口部および非開口部を有する反射層と、着色層と、を含む電気光学装置用基板の製造方法において、基板上に、反射部、開口部および非開口部を有する反射層を形成するとともに、反射層の非開口部に、遮光性または透光性を有する非反射部を備える工程と、反射層の反射部、開口部および非開口部の全部または一部を実質的に覆うように着色層を配置する工程と、を含む電気光学装置用基板の製造方法である。
すなわち、電気光学装置用基板の製造方法によれば、着色層の厚さの制御を多段階で容易に調整可能な電気光学装置用基板を効率的に得ることができる。したがって、透光性の非反射部を備えた場合には、反射型表示と、透過型表示との間で認識される色彩や明るさの差異を少なくすることができる。
また、電気光学装置用基板の製造方法によれば、遮光性の非反射部を備えることも容易であって、液晶層等の段差部において配向不良が局地的に生じた場合であっても、かかる配向不良を隠蔽して、目立たなくできる電気光学装置用基板を効率的に得ることができる。
【手続補正１７】
【補正対象書類名】明細書
【補正対象項目名】００２４
【補正方法】変更
【補正の内容】
【００２４】
また、本発明に係る電気光学装置は、反射部、非反射部、および透過部を備えた画素を有し、対向する第１の基板と第２の基板とを含む一対の電気光学装置用基板、およびその間に電気光学的物質を含む電気光学装置において、前記一つの電気光学装置用基板が、第１の基板と、前記反射部に備えられた反射層と、着色層と、前記非反射部に重なる遮光層または透光層と、を含み、前記着色層は、前記反射部、前記非反射部および前記透過部の全部または一部と重なるように配置されており、かつ、前記透過部に重なる前記着色層の厚さと前記非反射部に重なる前記着色層の厚さが異なることを特徴とする。
本発明の別の実施形態に係る態様は、対向する第１の基板と第２の基板とを含む一対の電気光学装置用基板、およびその間に電気光学的物質を含む電気光学装置において、一つの電気光学装置用基板が、第１の基板と、反射部、開口部および非開口部を有する反射層と、着色層と、を含み、着色層は、反射層の反射部、開口部および非開口部の全部または一部を実質的に覆うように配置されており、かつ、反射層の非開口部に、遮光性または透光性を有する非反射部を備える電気光学装置である。
すなわち、かかる電気光学装置によれば、透光性の非反射部を備えた電気光学装置用基板を使用した場合には、着色層の厚さの制御を多段階で実施することができる。したがって、反射型表示と、透過型表示との間で認識される色彩や明るさの差異を少なくすることができる。
また、遮光性の非反射部を備えた電気光学装置用基板を使用した場合には、液晶層等の段差部において配向不良が局地的に生じた場合であっても、かかる配向不良を隠蔽して、目立たなくさせることができる。
【手続補正１８】
【補正対象書類名】明細書
【補正対象項目名】００２５
【補正方法】変更
【補正の内容】
【００２５】
また、本発明に係る電気光学装置は、反射部、非反射部、および透過部を備えた画素を有し、対向する第１の基板と第２の基板とを含む一対の電気光学装置用基板、およびその間に電気光学的物質を含む電気光学装置において、前記一つの電気光学装置用基板が、第１の基板と、前記反射部に備えられた反射層と、を含み、もう一つの電気光学装置用基板が、第２の基板と、着色層と、前記非反射部に重なる遮光層または透光層と、を含み、前記着色層は、前記反射部、前記非反射部および前記透過部の全部または一部と重なるように配置されており、かつ、前記透過部に重なる前記着色層の厚さと前記非反射部に重なる前記着色層の厚さが異なることを特徴とする。
本発明のさらに別の実施形態に係る態様は、対向する第１の基板と第２の基板とを含む一対の電気光学装置用基板、およびその間に電気光学的物質を含む電気光学装置において、一つの電気光学装置用基板が、第１の基板と、反射部、開口部および非開口部を有する反射層と、を含み、もう一つの電気光学装置用基板が、第２の基板と、着色層と、を含み、着色層は、反射層の反射部、開口部および非開口部の全部または一部を実質的に覆うように配置されており、かつ、反射層の非開口部に、遮光性または透光性を有する非反射部を備える電気光学装置である。
すなわち、かかる電気光学装置によれば、透光性の非反射部を備えた電気光学装置用基板を使用した場合には、着色層の厚さの制御を多段階で実施することができる。したがって、反射型表示と、透過型表示との間で認識される色彩や明るさの差異を少なくすることができる。
また、遮光性の非反射部を備えた電気光学装置用基板を使用した場合には、液晶層等の段差部において配向不良が局地的に生じた場合であっても、かかる配向不良を隠蔽して、目立たなくさせることができる。